(57)【要約】【課題】障子が開放された状態において下枠に形成された溝の開口が塞がれることから円滑に出入りできる上に、障子の移動中であっても歩行者等の通行が妨げられることのない引戸を提供すること。【解決手段】上枠２１と、下枠２２と、左右の縦枠２３，２３と、により枠組みされた枠体２と、枠体２内に配置され左右方向に走行可能な障子４と、を備える引戸１であって、下枠２２は、上向きに開口し且つ障子４が走行可能な溝２２７が形成された下枠本体２２１と、下枠本体２２１内に配置され、障子４の走行に伴って溝２２７の開口に対して進退可能に構成されるとともに、障子４が開放された状態において溝２２７の開口を塞ぐ溝塞ぎ部材２２２と、を備える。【選択図】図２
2016160624.tif 000002
【特許請求の範囲】
【請求項１】
上枠と、下枠と、左右の縦枠と、により枠組みされた枠体と、該枠体内に配置され左右方向に走行可能な障子と、を備える引戸であって、
前記下枠は、
上向きに開口し且つ前記障子が走行可能な溝が形成された下枠本体と、
前記下枠本体内に配置され、前記障子の走行に伴って前記溝の開口に対して進退可能に構成されるとともに、前記障子が開放された状態において前記溝の開口を塞ぐ溝塞ぎ部材と、を備える引戸。
【請求項２】
前記下枠は、前記障子が閉鎖された状態において、前記溝塞ぎ部材を前記障子の下端の見付面に向けて付勢する付勢部材を更に備える請求項１記載の引戸。
【請求項３】
前記溝塞ぎ部材は、その進行方向の先端に気密材を備える請求項２記載の引戸。
【請求項４】
前記障子が閉鎖された状態において前記障子の戸先側に当接する縦材は、その下端に前記溝塞ぎ部材の端部に向かって前記溝塞ぎ部材の近傍まで突出する突出部を備える請求項１から３のいずれか記載の引戸。
【発明の詳細な説明】
【技術分野】
【０００１】
本発明は、引戸に関する。
【背景技術】
【０００２】
従来、開口部に設けられた枠体の有する下枠に形成された溝に沿って障子を水平方向に走行させる引戸が知られている。このような引戸の下枠に形成された溝は、障子が開放されている状態においては上向きに開口している。障子が開放されている際に、下枠に形成された溝が開口していると、特に車椅子を使用する者の通行に支障が生じてしまう場合がある。
【０００３】
このような問題に対して、障子が開放されている際に、下枠に形成された溝を塞ぐ技術が知られている（例えば、特許文献１参照）。具体的には、この技術では、障子の開閉に伴って回動する閉鎖体を溝の延びる方向に延設することで、障子が開放されている状態において、この閉鎖体が下枠に形成された溝を塞ぐようにしている。
【先行技術文献】
【特許文献】
【０００４】
【特許文献１】特開平６−２４１８８号公報
【発明の概要】
【発明が解決しようとする課題】
【０００５】
しかしながら、特許文献１で開示された技術では、障子が閉鎖された状態から開放された状態に移動する途中で、あるいは逆に障子が開放された状態から閉鎖された状態に移動する途中で、閉鎖体が下枠の上方に立ち上がってしまう。障子の移動中に閉鎖体が立ち上がると、歩行者等の通行の妨げとなる。
【０００６】
本発明は、上記の課題に鑑みてなされたものであり、障子が開放された状態において下枠に形成された溝の開口が塞がれることから円滑に出入りできる上に、障子の移動中であっても歩行者等の通行が妨げられることのない引戸を提供することを目的とする。
【課題を解決するための手段】
【０００７】
本発明は、上枠（例えば、後述の上枠２１，２１Ａ）と、下枠（例えば、後述の下枠２２，２２Ａ，２２Ｂ，２２Ｃ，２２Ｄ）と、左右の縦枠（例えば、後述の縦枠２３，２３，２３Ａ，２３Ａ）と、により枠組みされた枠体（例えば、後述の枠体２）と、該枠体内に配置され左右方向に走行可能な障子と、を備える引戸（例えば、後述の引戸１，１Ａ，１Ｂ，１Ｃ，１Ｄ）であって、前記下枠は、上向きに開口し且つ前記障子が走行可能な溝（例えば、後述の溝２２７，２２７Ａ，２２７Ｂ，２２７Ｃ，２２７Ｄ）が形成された下枠本体（例えば、後述の下枠本体２２１，２２１Ａ，２２１Ｂ，２２１Ｃ，２２１Ｄ）と、前記下枠本体内に配置され、前記障子の走行に伴って前記溝の開口に対して進退可能に構成されるとともに、前記障子が開放された状態において前記溝の開口を塞ぐ溝塞ぎ部材（例えば、後述の溝塞ぎ部材２２２，２２２Ａ，２２２Ｂ，２２２Ｃ，２２２Ｄ）と、を備える引戸に関する。
【０００８】
この発明では、引戸において、下枠が、上向きに開口し且つ障子が走行可能な溝が形成された下枠本体と、下枠本体内に配置され、障子の走行に伴って溝の開口に対して進退可能に構成されるとともに、障子が開放された状態において溝の開口を塞ぐ溝塞ぎ部材と、を備えるものとする。
これにより、障子が開放した状態において、下枠本体に形成された溝が溝塞ぎ部材によって塞がれることから円滑に出入りできる。更に、溝塞ぎ部材が下枠本体内に配置されるので、障子の移動中であっても溝塞ぎ部材が下枠本体の上面よりも上に突出することがなく、歩行者等の通行が妨げられない。
【０００９】
また、前記下枠は、前記障子が閉鎖された状態において、前記溝塞ぎ部材を前記障子の下端の見付面に向けて付勢する付勢部材（例えば、後述の付勢部材６，６Ｂ，６Ｃ，６Ｄ）を更に備えることが好ましい。
【００１０】
また、前記溝塞ぎ部材は、その進行方向の先端に気密材（例えば、後述のモヘア部材２２８，２２８Ｂ，２２８Ｃ及び気密材２２８Ａ）を備えることが好ましい。
【００１１】
前記障子が閉鎖された状態において前記障子の戸先側に当接する縦材（例えば、後述の縦材３３，３３Ｄ）は、その下端に前記溝塞ぎ部材の端部に向かって前記溝塞ぎ部材の近傍まで突出する突出部（例えば、後述の突出部３３２，３３２Ｄ）を備えることが好ましい。
【発明の効果】
【００１２】
本発明によれば、障子が開放された状態において下枠に形成された溝の開口が塞がれることから円滑に出入りできる上に、障子の移動中であっても歩行者等の通行が妨げられることのない引戸を提供できる。
【図面の簡単な説明】
【００１３】
【図１】本発明の第１実施形態に係る引戸の正面図である。
【図２】上記実施形態に係る引戸の縦断面図である。
【図３】上記実施形態に係る引戸の備える下枠の、障子が開放された状態における縦断面図である。
【図４】上記実施形態に係る引戸の横断面図である。
【図５】上記実施形態に係る引戸の、障子が開放された状態における横断面図である。
【図６】上記実施形態に係る引戸の備える縦材の下端周辺の斜視図である。
【図７Ａ】上記実施形態に係る引戸の、溝塞ぎ部材周辺の横断面図である。
【図７Ｂ】上記実施形態に係る引戸の、障子が開放された状態における溝塞ぎ部材周辺の横断面図である。
【図８】本発明の第２実施形態に係る引戸の縦断面図である。
【図９】上記実施形態に係る引戸の備える下枠の、障子が開放された状態における縦断面図である。
【図１０】上記実施形態に係る引戸の横断面図である。
【図１１Ａ】本発明の第１実施形態の変形例に係る引戸の備える下枠の、障子が開放された状態における縦断面図である。
【図１１Ｂ】本発明の第１実施形態の変形例に係る引戸の備える下枠の、障子が開放された状態における縦断面図である。
【図１２】本発明の第１実施形態の変形例に係る引戸の、障子が開放された状態における溝塞ぎ部材周辺の横断面図である。
【発明を実施するための形態】
【００１４】
以下、本発明の実施形態について、図面を参照しながら詳しく説明する。なお、本明細書において、「見付方向」とは、建物に形成された開口部に納められた引戸の上枠、下枠の長手方向（すなわち、ガラスや障子の面内水平方向）を意味し、「見込方向」とは、屋内外方向（すなわち、奥行き方向）を意味する。
【００１５】
＜第１実施形態＞
まず、本発明の第１実施形態に係る引戸１について説明する。
図１は、第１実施形態に係る引戸１を屋内側から見た正面図である。引戸１は、例えば住宅の壁１００に形成された開口部１０に納められる。
引戸１は、建物の開口部１０に取り付けられる枠体２と、枠体２内の左右方向の中心に配置されて固定される中心側ＦＩＸ部３と、中心側ＦＩＸ部３の見付方向外側の枠体２内に配置され且つ外側にスライド可能な障子４，４と、障子４の見付方向外側の枠体２内に配置されて固定される外側ＦＩＸ部５，５と、を備える。また、開口部１０の左右で、見付方向において外側ＦＩＸ部５，５と重複する位置には、障子４，４が収納される戸袋１０１，１０１が形成される。このように引戸１は、左右対称に構成される。なお、図１は、障子４，４が閉鎖された状態を示す。
【００１６】
枠体２は、上枠２１と、下枠２２と、左右の縦枠２３，２３と、により矩形に枠組みされる。枠体２を構成する上枠２１、縦枠２３，２３は、屋内側からは壁１００に覆われる。また、枠体２を構成する下枠２２は、床面１０２よりも下に配置される。
【００１７】
中心側ＦＩＸ部３は、中心側ＦＩＸ部枠体３０と、中心側ＦＩＸ部枠体３０の内部に嵌め込まれるガラスパネル３５と、を備える。中心側ＦＩＸ部枠体３０は、上材３１と、下材３２と、縦材３３，３３と、を枠組みすることで構成される。中心側ＦＩＸ部枠体３０を構成する上材３１は、屋内側からは壁１００に覆われる。また、中心側ＦＩＸ部枠体３０を構成する下枠２２は、床面１０２よりも下に配置されるので、屋内側から視認できない。更に、縦材３３は、障子４，４が閉鎖された状態においては、屋内側からは後述する戸先框４４によって覆われる。
【００１８】
障子４は、框体４０の内部に嵌め込まれるガラスパネル４５と、を備える。框体４０は、上框４１と、下框４２と、召合せ框４３と、戸先框４４と、を框組みすることで構成される。框体４０を構成する上框４１及び召合せ框４３は、屋内側からは壁１００に覆われる。また、框体４０を構成する下框４２は、床面１０２よりも下に配置されるので、屋内側から視認できない。
【００１９】
外側ＦＩＸ部５は、屋内側から見て全面が壁１００に覆われる。外側ＦＩＸ部５は、外側ＦＩＸ部枠体５０と、外側ＦＩＸ部枠体５０の内部に嵌め込まれるガラスパネル５５と、を備える。外側ＦＩＸ部枠体５０は、上材５１と、下材５２と、見付方向外側の縦材５３と、見付方向内側の縦材５４と、を枠組みすることで構成される。
【００２０】
図２は、引戸１の縦断面図であって、図１のＡ−Ａ線断面図である。
図２に示すように、ガラスパネル４５は、屋内側の板ガラス４５１と屋外側の板ガラス４５２とを、スペーサ４５３を介在させることによって所定の間隔を開けて配置した複層ガラスパネルである。
【００２１】
上枠２１は、屋外側に配置され且つ中空部を有するホロー構造である上枠本体２１１と上枠本体２１１の屋内側に固定されるレール部材２１２と、を備える。上枠本体２１１は、締結部材２１３，２１４によって壁１００に固定される。レール部材２１２は、締結部材２１５によって上枠本体２１１に固定される固定部２１６と、固定部２１６の下端から屋内側に延出するレール部２１７と、を備える。
上枠本体２１１及びレール部材２１２は、例えば、アルミニウムを押し出し成型することによって形成することができる。
【００２２】
上框４１は、レール部２１７の上方に配置され回動可能な戸車部材４１１と、戸車部材４１１の屋内側に係合される上框本体４１２と、を備える。戸車部材４１１には、屋内側に被係合部４１３が形成される。上框本体４１２は、下側に開口する溝部４１４と、溝部４１４の屋内側から上方に延出する延出部４１５と、を備える。延出部４１５の先端には、被係合部４１３に係合する係合部４１６が形成される。
上框本体４１２は、例えば、アルミニウムを押し出し成型することによって形成することができる。
【００２３】
ガラスパネル４５の上端部は、溝部４１４内において、バックアップ材４１７，４１７によって挟まれる。更にバックアップ材４１７，４１７の下方には、シール材４１８，４１８が塗工される。
なお、上枠２１及び上框４１の屋内側には、障子４の走行を補助するリニアモータ駆動装置４６が配置される。
【００２４】
下框４２は、上側に開口する溝の形成された部材である。下框４２は、例えば、アルミニウムを押し出し成型することによって形成することができる。
ガラスパネル４５は、下框４２の内部に配置されるアングル４２１によって支持される。また、アングル４２１とガラスパネル４５との間には、弾性部材４２２が配置される。ガラスパネル４５の下端部は、下框４２内において、バックアップ材４２３，４２３によって挟まれる。更にバックアップ材４２３，４２３の上方には、シール材４２４，４２４が塗工される。
【００２５】
下枠２２は、下枠本体２２１と、溝塞ぎ部材２２２と、押さえ部材２２３を備える。下枠本体２２１は、障子４の下側に配置される下側部材２２４と、下側部材２２４の屋外側に配置される屋外側部材２２５と、下側部材２２４の屋内側に配置される屋内側部材２２６と、を備えて構成される。屋外側部材２２５の屋内側には、気密材２２０が配置される。
【００２６】
下枠本体２２１には、上向きに開口し且つ前記障子４が走行可能な溝２２７が形成される。溝塞ぎ部材２２２は、下枠本体２２１内に配置される。溝塞ぎ部材２２２は、障子４が閉鎖された状態において、障子４（下框４２）よりも屋内側に配置される。溝塞ぎ部材２２２は、その屋外側の先端に気密材としてのモヘア部材２２８と、下側に固定されることで溝塞ぎ部材２２２の本体の下端と下枠本体２２１との間に空間を形成するスペーサ２２９と、を備える。
【００２７】
図２に示すように、障子４が閉鎖された状態において、床面１０２、下枠２２の上面及び下框４２の上部は、面一になるように構成される。
【００２８】
図３は、下枠２２の障子４が開放された状態における縦断面図である。
図３に示すように、溝塞ぎ部材２２２は、障子４が開放された状態において、障子４が閉鎖された状態における位置よりも屋外側に配置され、溝２２７の開口を塞ぐ。溝塞ぎ部材２２２の屋外下側の端部は、障子４が開放された状態において、押さえ部材２２３の屋内側に当接する。また、モヘア部材２２８は、障子４が開放された状態において気密材２２０に当接する。溝塞ぎ部材２２２の動作については後段で詳述する。
【００２９】
図４は、引戸１の横断面図であって、図１のＢ−Ｂ線断面図である。
図４に示すように、ガラスパネル３５及びガラスパネル５５も、ガラスパネル４５と同様に、２枚の板ガラスを、スペーサを介在させることによって所定の間隔を開けて配置した複層ガラスパネルである。具体的には、ガラスパネル３５は、板ガラス３５１と板ガラス３５２との間にスペーサ３５３を介在させた複層ガラスパネルであり、ガラスパネル５５は、板ガラス５５１と板ガラス５５２との間にスペーサ５５３を介在させた複層ガラスパネルである。
【００３０】
縦枠２３は、壁１００の開口部１０側に固定される。
縦材５３は、縦枠２３に締結部材５３４によって固定され且つ中空部を有するホロー構造である屋外側縦材５３１と、屋外側縦材５３１の屋内側に樹脂材５３５を介して連結され且つ中空部を有するホロー構造である屋内側縦材５３２と、屋外側縦材５３１の屋外側に固定される表面材５３３と、を備える。
【００３１】
屋外側縦材５３１及び屋内側縦材５３２は、例えば、アルミニウムを押し出し成型することによって形成することができる。
ガラスパネル５５の見付方向外側の端部は、屋外側縦材５３１及び屋内側縦材５３２によって形成される溝の内部に配置される。
【００３２】
縦材５４は、中空部を有するホロー構造であり、見付方向外側（図４の左側）に開口した溝を形成する。縦材５４は、屋外側に形成される外煙返し部５４１を備える。外煙返し部５４１は、上下に亘って通しで延びて形成される。縦材５４は、例えば、アルミニウムを押し出し成型することによって形成することができる。
ガラスパネル５５の見付方向内側（図４の右側）の端部は、縦材５４によって形成される溝の内部に配置される。
【００３３】
召合せ框４３は、縦材５４の屋内側に配置される。召合せ框４３は、見付方向内側に向けて開口する溝の形成された溝部４３１と、溝部４３１よりも屋外側に設けられた内煙返し部４３２と、溝部４３１よりも屋内側に設けられた屋内部４３３と、を備える。内煙返し部４３２は、上下に亘って通しで延び且つ見付け方向において外煙返し部５４１と重複するラップ代を有するように形成される。屋内部４３３は、中空部を有するホロー構造である。図４に示すように、障子４が閉鎖された状態において、屋内部４３３の見付方向内側の面は、壁１００の屋内側の開口部１０側の面と、面一となるように構成される。
【００３４】
召合せ框４３は、例えば、アルミニウムを押し出し成型することによって形成することができる。
ガラスパネル４５の見付方向外側の端部は、溝部４３１によって形成される見付方向内側に開口する溝の内部に配置される。
【００３５】
戸先框４４は、戸先框本体４４１と、化粧カバー４４２と、を有し、断面Ｌ字状に形成される。戸先框本体４４１は、見付方向外側に開口する溝部４４３と、溝部４４３の屋内側に配置され且つ中空部を有するホロー構造である屋内部４４４と、を備える。化粧カバー４４２は、屋内部４４４の見込面及び屋内側の面を覆うように配置される、断面Ｃ字状の部材である。
【００３６】
戸先框本体４４１は、例えば、アルミニウムを押し出し成型することによって形成することができる。
ガラスパネル４５の見付方向内側の端部は、溝部４４３によって形成される見付方向外側に開口する溝の内部に配置される。
【００３７】
縦材３３は、障子４が閉鎖された状態において障子４の戸先側（見付方向内側）に当接する。縦材３３は、見付方向内側に開口した溝の形成された縦材本体３３１と、縦材本体３３１から障子側に突出する突出部３３２と、を備える。縦材本体３３１は、中空部を有するホロー構造である。縦材本体３３１は、屋内部４４４の屋外側に配置され、障子４が閉鎖された状態において溝部４４３の見付方向の先端と突き合わされる。突出部３３２は、障子４と左右方向（障子４の走行方向）で重複する。
【００３８】
戸先框４４及び縦材３３は、障子４が閉鎖された状態において、断面が略矩形状に形成される。縦材本体３３１は、例えば、アルミニウムを押し出し成型することによって形成することができる。
ガラスパネル３５の端部は、縦材本体３３１によって形成される溝の内部に配置される。
【００３９】
なお、図４に示すように、溝塞ぎ部材２２２は、障子４が閉鎖された状態において、屋内部４３３の下から屋内部４４４の下まで見付方向（左右方向）に延びて設けられる。溝塞ぎ部材２２２は、その両端部が屋外側から屋内側に向かって幅が広がるように傾斜して形成される。
【００４０】
図５は、引戸１の、障子４が開放された状態における縦断面図である。
図５に示すように、障子４は、戸袋１０１の内部に収納されて開放される。図５に示すように、障子４が開放された状態において、戸先框４４の見付方向内側の面は、壁１００の屋内側の開口部１０側の面と、面一となるように構成される。
【００４１】
溝塞ぎ部材２２２は、障子４が開放された状態において、下枠２２の上方から視認することができる。突出部３３２は、溝塞ぎ部材２２２の端部に向かって溝塞ぎ部材２２２の近傍まで突出する。突出部３３２は、平面視において、先端側に向かって幅が狭くなるように屋内側が傾斜して形成される。溝塞ぎ部材２２２の見付方向内側と突出部３３２とは、互いに相補的な形状に形成される。
【００４２】
図６は、縦材３３の下端周辺の斜視図である。
図６に示すように、突出部３３２は、縦材３３の下端から見付方向に突出する。
【００４３】
続いて、図７Ａ及び図７Ｂも参照しながら、下枠２２の構造及び溝塞ぎ部材２２２の動作について説明する。
図７Ａは、引戸１の、障子４が閉鎖された状態における溝塞ぎ部材２２２周辺の横断面図である。図７Ｂは、引戸１の、障子４が開放された状態における溝塞ぎ部材２２２周辺の横断面図である。なお、図７Ａ及び図７Ｂにおいては、便宜的に、下枠本体２２１を点線で表して透視した。
図７Ａに示すように、下枠２２は、複数の付勢部材６，６を更に備える。複数の付勢部材６，６は、見付方向に並んで配置される。
【００４４】
付勢部材６は、見付方向に延び且つ下枠本体２２１に固定されるベース部材６１と、ベース部材６１の一端側に基端側が軸支されるアーム部材６２と、アーム部材６２の回動軸部６２１に配置されるねじりバネ６３と、を有する。アーム部材６２の先端側は、溝塞ぎ部材２２２に対して、図示しない締結手段によって固定される。ねじりバネ６３は、アーム部材６２をベース部材６１との角度が広がる方向に付勢する。従って、付勢部材６は、障子４が閉鎖された状態において、障子４の下端（下框４２）の屋内側の見付面に向けて溝塞ぎ部材２２２を付勢する。
【００４５】
図７Ｂに示すように、障子４が溝２２７を見付方向外側（図７Ａ及び図７Ｂにおける左側）に走行することで開放されると、付勢部材６の屋外側に障子４が位置しなくなる。これにより、アーム部材６２が回動軸部６２１回りに回動することにより、溝塞ぎ部材２２２も回動軸部６２１回りに回動する。溝塞ぎ部材２２２は、回動軸部６２１回りに回動して屋外側に移動することで溝２２７の開口を塞ぐ。溝塞ぎ部材２２２は、溝２２７の開口を塞いだ状態において押さえ部材２２３と当接することで、見込方向の位置決めがなされる。
【００４６】
逆に、障子４は、開放された状態から、見付方向内側（図７Ａ及び図７Ｂにおける右側）に走行することで閉鎖される。障子４が閉鎖される際には、戸先框４４の下端が、溝塞ぎ部材２２２の見付方向外側に形成された傾斜を手掛かりにして塞ぎ部材２２２を屋内側に押し戻す。これにより、障子４が溝２２７走行して閉鎖されるとともに、塞ぎ部材２２２が障子４の屋内側に退く（図７Ａ）。
このように、溝塞ぎ部材２２２は、障子４の走行に伴って溝２２７の開口に対して見込方向に進退可能に構成される。
【００４７】
本発明の第１実施形態によれば、以下の効果が奏される。
（１）第１実施形態では、引戸１において、下枠２２が、上向きに開口し且つ障子４が走行可能な溝２２７が形成された下枠本体２２１と、下枠本体２２１内に配置され、障子４の走行に伴って溝２２７の開口に対して進退可能に構成されるとともに、障子４が開放された状態において溝２２７の開口を塞ぐ溝塞ぎ部材２２２と、を備えるものとした。
これにより、障子４が開放した状態において、下枠本体２２１に形成された溝２２７が溝塞ぎ部材２２２によって塞がれることから円滑に出入りできる。更に、溝塞ぎ部材２２２が下枠本体２２１内に配置されるので、障子４の移動中であっても溝塞ぎ部材２２２が下枠本体２２１の上面よりも上に突出することがなく、歩行者等の通行が妨げられない。
【００４８】
（２）第１実施形態では、下枠２２が、障子４が閉鎖された状態において、溝塞ぎ部材２２２を障子４の下端の見付面に向けて付勢する付勢部材６を更に備えるものとした。
これにより、障子４が開放されることで、溝塞ぎ部材２２２が付勢部材６の付勢力によって溝２２７の開口に向かって進む。従って、上記実施形態によれば、容易に溝２２７の開口を塞ぐことができる。
【００４９】
（３）第１実施形態では、溝塞ぎ部材２２２が、その進行方向の先端に気密材としてのモヘア部材２２８を備えるものとした。
これにより、障子４が閉鎖された状態において、モヘア部材２２８が障子４の下端の見付面に押し付けられる。従って、上記実施形態によれば、障子４が閉鎖された状態における引戸１の気密性を向上させることができる。
【００５０】
（４）第１実施形態では、縦材３３が、その下端に溝塞ぎ部材２２２の端部に向かって溝塞ぎ部材２２２の近傍まで突出する突出部３３２を備えるものとした。
これにより、溝塞ぎ部材２２２と縦材３３との間に形成された隙間を突出部３３２によって埋めることができるので、障子４が開放された状態における下枠２２の意匠性が向上する。また、障子４が閉鎖された状態において、突出部３３２によって障子４が見込方向に振れるのを防止できる。
【００５１】
＜第２実施形態＞
続いて、本発明の第２実施形態に係る引戸１Ａについて説明する。第２実施形態に係る引戸１Ａについては、第１実施形態に係る引戸１と類似した構成については、引戸１と同様の符号を付して説明を省略し、引戸１とは異なる特徴について詳細に説明する。
図８は、引戸１Ａの縦断面図である。図９は、障子４Ａが開放された状態における下枠２２Ａの縦断面図である。図１０は、引戸１Ａの横断面図である。引戸１は、両袖の障子４が戸袋１０１に引き込まれるタイプの引戸であったが、引戸１Ａは、内動の片開きタイプの引戸である。
【００５２】
図８及び図１０に示すように、溝塞ぎ部材２２２Ａは、障子４Ａが閉鎖された状態において、障子４Ａ（下框４２Ａ）よりも屋外側に配置される。溝塞ぎ部材２２２Ａは、その屋外側の先端に気密材２２８Ａを備える。障子４Ａが閉鎖された状態において、溝塞ぎ部材２２２Ａは、図８〜図１０においては図示しない付勢部材６Ａによって、障子４Ａの下端（下框４２Ａ）の屋外側の見付け面に向けて付勢される。
【００５３】
図９に示すように、溝塞ぎ部材２２２Ａは、障子４Ａが開放された状態において、障子４Ａが閉鎖された状態における位置よりも屋内側に配置され、溝２２７Ａの開口を塞ぐ。溝塞ぎ部材２２２Ａの屋外下側の端部は、障子４Ａが開放された状態において、押さえ部材２２３Ａの屋内側に当接する。また、気密材２２８Ａは、障子４Ａが開放された状態において気密材２２０Ａに当接する。
なお、引戸１Ａは、障子４Ａの屋外側に配置される収納網戸９Ａを備える。
【００５４】
本発明の第２実施形態によれば、上記の効果（１）〜（３）に加えて以下の効果が奏される。
第２実施形態では、溝塞ぎ部材２２２Ａを、障子４Ａが閉鎖された状態において、障子４Ａの下端よりも屋外側に配置した。
これにより、障子４Ａが閉鎖された状態において、気密材２２８Ａが屋外側から障子４Ａの下端の見付面に押し付けられる。従って、障子４Ａが閉鎖された状態において、屋外側から障子４Ａにかかった雨水等の水が、下枠２２Ａの内部に侵入し難い。以上より、引戸１Ａは水密性が高い。
【００５５】
なお、本発明は上記実施形態に限定されるものではなく、本発明の目的を達成できる範囲での変形、改良等は本発明に含まれる。
付勢部材６の備えるアーム部材６２が、溝塞ぎ部材２２２に対して、締結手段によって固定されるものとしたが、本発明はこれに限定されない。図１１Ａは、第１実施形態の変形例に係る引戸１Ｂの備える下枠２２Ｂの、障子４Ｂが開放された状態における縦断面図である。図１１Ｂは、第１実施形態の変形例に係る引戸１Ｃの備える下枠２２Ｃの、障子４Ｃが開放された状態における縦断面図である。図１１Ａ及び図１１Ｂにおいては、第１実施形態に係る引戸１と同じ構成については、引戸１と同様の符号を付して説明を省略し、引戸１とは異なる特徴について説明する。
【００５６】
付勢部材６Ｂの備えるアーム部材６２Ｂの先端側には、凸部６４Ｂが形成される。溝塞ぎ部材２２２Ｂの下側には、凸部６４Ｂの挿し込まれる孔６５Ｂが形成される。
付勢部材６Ｃの備えるアーム部材６２Ｃの先端側には、凸部６４Ｃが形成される。溝塞ぎ部材２２２Ｃの下側には、内部に凸部６４Ｃの先端側が嵌合される凹部６５Ｃが形成される。
このように、アーム部材６２Ｂ，６２Ｃの先端は、それぞれ溝塞ぎ部材２２２Ｂ，２２２Ｃに対して固定されず、溝塞ぎ部材２２２Ｂ，２２２Ｃは付勢部材６Ｂ，６Ｃから容易に着脱可能に構成される。これにより、砂埃や泥によって汚れやすい下枠本体２２１Ｂ，２２１Ｃに形成された溝の内部のクリーニングやメンテナンスを容易に行うことができる。
【００５７】
また、図１２は、第１実施形態の変形例に係る引戸１Ｄの、障子４Ｄが開放された状態における溝塞ぎ部材２２２Ｄ周辺の横断面図である。図１２においては、第１実施形態に係る引戸１と同じ構成については、引戸１と同様の符号を付して説明を省略し、引戸１とは異なる特徴について説明する。
図１２に示すように、一対の付勢部材６Ｄ，６Ｄの備える一対のアーム部材６２Ｄ，６２Ｄの先端同士は、バー材６６Ｄによって繋がれる。溝塞ぎ部材２２２Ｄの下側には、上記の変形例の凹部６５Ｃのような凹部６５Ｄが形成され、その凹部６５Ｄの内部にバー材６６Ｄが配置される。凹部６５Ｄは、上記の変形例の孔６５Ｂのような孔としてもよい。
【００５８】
複数のアーム部材６２Ｄが別々に動く場合、溝塞ぎ部材２２２Ｄの取外しや取付けを行うのが難しくなる。一方、上記の変形例においては、一対のアーム部材６２Ｄ，６２Ｄの先端同士がバー材６６Ｄによって繋がれて連動する。従って、引戸１Ｄにおいては、溝塞ぎ部材２２２Ｄの取外しや取付けを容易に行うことができる。
【００５９】
また、上記第１実施形態においては、障子４が閉鎖された状態において、床面１０２、下枠２２の上面及び下框４２の上部が、面一になるように構成したが、本発明はこれに限定されない。本発明においては、下框の上部が、下枠の上面よりも上側に位置していてもよい。
【００６０】
また、上記第１実施形態においては、溝塞ぎ部材２２２が、障子４が開放された状態において、押さえ部材２２３に当接するものとしたが、本発明はこれに限定されない。本発明においては、下枠本体２２１自体を、溝塞ぎ部材２２２を押さえることができる形状に形成してもよい。
【００６１】
また、上記第１及び第２実施形態においては、溝塞ぎ部材２２２，２２２Ａが水平方向に進退するものとしたが、本発明はこれに限定されない。本発明においては、障子が閉鎖された状態において下枠の下側に溝塞ぎ部材を配置し、その溝塞ぎ部材を溝の開口に対して上下方向に進退させる構成としてもよい。
また、本発明に係る引戸は、上記第１及び第２実施形態に係る引戸のタイプに限定されない。
【符号の説明】
【００６２】
１，１Ａ，１Ｂ，１Ｃ，１Ｄ…引戸
２…枠体
２１，２１Ａ…上枠
２２，２２Ａ，２２Ｂ，２２Ｃ，２２Ｄ…下枠
２２１，２２１Ａ，２２１Ｂ，２２１Ｃ，２２１Ｄ…下枠本体
２２２，２２２Ａ，２２２Ｂ，２２２Ｃ，２２２Ｄ…溝塞ぎ部材
２２７，２２７Ａ，２２７Ｂ，２２７Ｃ，２２７Ｄ…溝
２２８，２２８Ｂ，２２８Ｃ…モヘア部材
２２８Ａ…気密材
２３，２３，２３Ａ，２３Ａ…縦枠
３３，３３Ｄ…縦材
３３２，３３２Ｄ…突出部
６，６Ｂ，６Ｃ，６Ｄ…付勢部材
【図１】
2016160624.tif 000003
【図２】
2016160624.tif 000004
【図３】
2016160624.tif 000005
【図４】
2016160624.tif 000006
【図５】
2016160624.tif 000007
【図６】
2016160624.tif 000008
【図７Ａ】
2016160624.tif 000009
【図７Ｂ】
2016160624.tif 000010
【図８】
2016160624.tif 000011
【図９】
2016160624.tif 000012
【図１０】
2016160624.tif 000013
【図１１Ａ】
2016160624.tif 000014
【図１１Ｂ】
2016160624.tif 000015
【図１２】
2016160624.tif 000016